(57)【要約】      （修正有）【課題】直径の大きいＲＧＰレンズでも直径の小さいＲＧＰレンズでも使用できるコンタクトレンズホルダー及びケースを提供する。【解決手段】略凹溝３と、スリット窓を備えた左右の挟持板と、凸形状部分９を備えた前後の挟持板７とにより構成されたアーム４、及び台座１と支柱５により構成されたレンズホルダーによって、直径の小さいコンタクトレンズ１１から直径の大きいコンタクトレンズ１１までを挟持し、そのレンズホルダーを含むレンズケースを提供することによって、直径の小さいコンタクトレンズ１１から直径の大きいコンタクトレンズ１１までを保存する。【選択図】図１Ａ
0003191196.tif 000002
【実用新案登録請求の範囲】
【請求項１】
コンタクトレンズを内部に納めて上端にネジ部を有する筒状の本体に螺合するキャップ内側に勘合せしめるプラスチック材料によって一体成形されるレンズホルダーであって、該キャップ内側に勘合する略円形の台座と、台座と反対側に開口部を備えたコンタクトレンズを挟持可能な略凹溝を有する略Ｕ字型のアームと、該アームと前記台座を連結する略円柱状の支柱と、を含み、前記アームは左右の両側部にある左右の挟持板と前後の両側部にある前後の挟持板により構成され、前記左右の挟持板の略中央部にはそれぞれ矩形のスリット窓を有し、前記前後の挟持板がそれぞれ長手方向の略中央部において内側に向かって凸形状部分を備えるレンズホルダー。
【請求項２】
前記凸形状部分が円弧である請求項１に記載のレンズホルダー。
【請求項３】
請求項１又は２に記載のレンズホルダーをキャップに勘合せしめたホルダーキャップ。
【請求項４】
請求項３に記載のホルダーキャップを本体に螺合せしめたレンズケース。
【考案の詳細な説明】
【技術分野】
【０００１】
本考案はコンタクトレンズ特にハードコンタクトレンズの保存等を行うコンタクトレンズホルダー及びケースに関する。
【背景技術】
【０００２】
コンタクトレンズユーザが視力矯正等のためコンタクトレンズを使用すなわち装用した後、使用されていないコンタクトレンズは、コンタクトレンズホルダーを含むコンタクトレンズケースに保存される。またコンタクトレンズはユーザに供給されるまでは、コンタクトレンズホルダーを含むコンタクトレンズケースに保存されて販売流通されている。                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                            
【０００３】
コンタクトレンズは、含水性の軟質のソフトコンタクトレンズと非含水の硬質のハードコンタクトレンズに大別される。今日では硬質のハードコンタクトレンズは装用者の眼の安全性を確保し、装用感がすぐれた酸素透過性のいわゆるＲＧＰコンタクトレンズが主に使用されている。本考案に係るコンタクトレンズホルダーは、ＲＧＰコンタクトレンズを中心としたハードコンタクトレンズの保存に用いられるものである。コンタクトレンズケースとしては、以下のような提案がなされている。すなわち登録実用新案第３１５９５８９号公報にはコンタクトレンズを挟持するレンズホルダーと保存容器のキャップが一体成形されて部品点数を最低数としたもの、実開昭６２−１９７１２８号公報には、コンタクトレンズを挟持する一対の挟持アームの間に円弧状の切欠部を設けたもの、実開昭６３−１５１７号公報には断面がコの字状の縦方向に開孔部を有する一対のレンズ挟持アームを供えたものが開示されている。
【先行技術文献】
【特許文献】
【０００４】
【特許文献１】登録実用新案第３１５９５８９号公報
【特許文献２】実開昭６２−１９７１２８号公報
【特許文献３】実開昭６３−１５１７号公報
【考案の概要】
【考案が解決しようとする課題】
【０００５】
視力矯正等のために使用されるＲＧＰコンタクトレンズ（以下、ＲＧＰレンズと言う）等は、求められる光学特性を備えるように様々なベースカーブ、直径や中心厚み等を有する。ソフトコンタクトレンズと比較して硬質であるＲＧＰコンタクトレンズ等は、眼に装用するとユーザに一般的には異物感を与え、装用感においてソフトコンタクトレンズレンズより劣る場合が多い。
【０００６】
ＲＧＰレンズ等の直径が約９ｍｍ程度である場合には、多くの場合ユーザの装用眼中で瞬目等につれて上下に移動し、ＲＧＰレンズのエッジが眼瞼の裏側に当たること等によって異物感引いては痛みを発生させることがある。そこで、その異物感等を解消して装用感を向上させるために、ＲＧＰレンズ等の直径を大きくしてその眼中での動きを小さくしたものが設計、販売されている。                                                                                                                                                                                                                                                                                                                                                                                                                                                                                                                                
【０００７】
またユーザが視力矯正のために眼鏡でなくＲＧＰレンズ等を選択して使用するのは、眼鏡をかけることと比較してＲＧＰレンズ等を使用すると、理美容に優れるということの他に、眼鏡では矯正しにくい強度の近視や遠視等の屈折異常が比較的容易に矯正できる場合があるからである。すなわち強度の屈折異常を眼鏡で矯正しようとすれば、眼鏡レンズの厚みが厚くなり、日常的にその眼鏡レンズを使用するとなると、眼鏡レンズの厚みが厚くなるに従って重くなった眼鏡レンズによって、耳や鼻等にも負担がかかるのである。
【０００８】
それに対して強度の屈折異常をＲＧＰレンズ等によって矯正できれば、耳や鼻等かかる負担はなく、さらには厚くなった眼鏡レンズをかけることによって、化粧の効果が著しく損なわれることも、眼鏡レンズを介することによって、眼鏡レンズのユーザの眼が不自然に大きくなったり小さくなったりして他者に見られることもなくなるのである。
【０００９】
また、円錐角膜やレーシック後の副作用の一つであるケラトエクタジア（角膜拡張症）や球状角膜等の症例に対応したコンタクトレンズも開発されており、そのような特殊レンズは通常のレンズよりも大きな直径にデザインされているものもある。
【００１０】
以上のように、ＲＧＰレンズ等に求められる多様な屈折特性を持たせるために、ＲＧＰレンズ等の直径やベースカーブ等には広範囲の規格が必要になるのである。また眼鏡に比較した前記ＲＧＰレンズ等の特徴によって眼鏡からＲＧＰレンズ等を選択して使用しようとする場合も少なくないのである。
【００１１】
ユーザがＲＧＰレンズ等を使用するといっても、多くの場合には視力矯正を目的とするため、仕事や娯楽等で視力矯正を必要としなくなった場合には、装用していたＲＧＰレンズ等を眼からはずし、適切に保存する必要がある。なぜならばＲＧＰレンズ等は硬質であるといっても、装用眼への負担を少なく等する材料組成であるため傷がつきやすいプラスチック製であり、眼に入る程度の大きさであるため、不用意に扱うと、落としたり等して見失う程度の大きさであり、光学デバイスであるＲＧＰレンズ等に必然的に求められる高い光透過性を確保するために、着色による識別に制限がある等の事情があるからである。
【００１２】
そのためＲＧＰレンズ等の保存には、コンタクトレンズケースが使用されることになる。ＲＧＰレンズ等がコンタクトレンズケースすなわちレンズケースに適切に保存されるためには、ＲＧＰレンズ等についてレンズホルダーに挟持させること、そのレンズホルダーをレンズケース本体へ入れること、さらにレンズホルダーから取り出すこと等が適切に行われることが必要である。なぜならばＲＧＰレンズ等は前述のように傷がつきやすく、不要に力が加わると割れることがあり、傷がついたＲＧＰレンズ等は適切な視力矯正に影響を及ぼすことがあり、破損したＲＧＰレンズ等は使用ができなくなってしまうからである。
【００１３】
そこでレンズケースは、主にＲＧＰレンズ等を内部に納める筒状部と、その筒状部を覆うキャップと、略球面の一部と捉えうるＲＧＰレンズ等を挟持できる部分とから構成されている。ところが、従来のレンズケースを構成していたＲＧＰレンズ等を挟持する部分は、広範囲の規格に及ぶＲＧＰレンズ等の直径やベースカーブ等に対応しておらず、使用するＲＧＰレンズ等の規格に応じて複数のＲＧＰレンズ等を挟持できる部分すなわちレンズケースが必要となり、ＲＧＰレンズ等の供給業者にとっても、視力が変化したユーザ等にとっても、負担となっていた。そこで、凡そ使用されるＲＧＰレンズ等を全て保存できるコンタクトレンズホルダー及びケースが求められていた。本考案は係る課題を解決するためになされたものである。
【課題を解決するための手段】
【００１４】
本考案の第１の態様は、コンタクトレンズを内部に納めて上端にネジ部を有する筒状の本体に螺合するキャップ内側に勘合せしめるプラスチック材料によって一体成形されるレンズホルダーであって、該キャップ内側に勘合する略円形の台座と、台座と反対側に開口部を備えたコンタクトレンズを挟持可能な略凹溝を有する略Ｕ字型のアームと、該アームと前記台座を連結する略円柱状の支柱と、を含み、前記アームは左右の両側部にある左右の挟持板と前後の両側部にある前後の挟持板により構成され、前記左右の挟持板の略中央部にはそれぞれ矩形のスリット窓を有し、前記前後の挟持板がそれぞれ長手方向の略中央部において内側に向かって凸形状部分を備えるレンズホルダー、である。
【００１５】
本考案の特徴は、凡そ使用されるＲＧＰレンズ等を全て保存するため、そのＲＧＰレンズ等を挟持できるように、アームを構成する左右の挟持板の略中央部にそれぞれスリット窓と、前後の挟持板の長手方向の略中央部に内側に向かって凸形状部分を設けたことである。ＲＧＰレンズ等は、左右の挟持板と前後の挟持板によって形成される略直方体の空間内に納められることになるが、略球面の一部と捉えうるＲＧＰレンズ等がその空間に力の負荷なく納められるためには、ＲＧＰレンズ等の円形の一部が左右の挟持板から外側に向かってはみ出るために必要なスリット窓が必要である。スリット窓の形状としては左右の挟持板に配置しうる寸法の矩形が好適に用いられる。その矩形の寸法としては長手方向に４．０ｍｍ〜７．０ｍｍで、短手方向に２．０ｍｍ〜４．０ｍｍが好ましい。長手方向が７．０ｍｍより大きくなると８ｍｍ程度の小さいＲＧＰレンズ等を挟持できず、４．０ｍｍより小さくなるとＲＧＰレンズ等を親指と人指で挟んで抜き出すときに障害となる。また凸形状部分の形状はＲＧＰレンズ等を傷つけないように円弧状となっている。
【００１６】
本考案の第２の態様は、前記凸形状部分が円弧である請求項１に記載のレンズホルダー、である。このような形状とすることによって、ユーザは高価なＲＧＰレンズ等を傷つけることなく、レンズホルダーに挟持したり、レンズホルダーから抜き出すことができるのである。
【００１７】
アームが前記凸形状部分を有しないと、ＲＧＰレンズ等の直径が大きい場合には問題とはならないが、その直径が小さくなると前記空間に納められたＲＧＰレンズ等が、容易にはずれるということが起こりうる。ここでＲＧＰレンズ等の直径が大きい場合とは、その直径が１１ｍｍ程度である場合で、その直径が小さい場合とは、その直径が８ｍｍ程度である場合を指す。直径が８ｍｍ程度のＲＧＰレンズ等を前記空間に納めた場合には、そのＲＧＰレンズ等は前記空間で自由に移動し、そのＲＧＰレンズ等の円形の一部が例えば左の挟持板のスリット窓から外側に向かってはみ出ると、その円形の反対側の円形の縁は、右の挟持板の内側の縁まで届かず、結果的にそのＲＧＰレンズ等は前記空間からその外側に出てしまうことすなわちはずれることになるのである。
【００１８】
そのような不都合を解決するために、本考案では前記凸形状部分を設けて直径が小さいＲＧＰレンズ等にも使用できるようにしたのである。凸形状部分の形状としては、その凸形状の最も内側の縁が、前述したように直径が小さいＲＧＰレンズ等を前記空間に挟持すなわち納めたときに、そのＲＧＰレンズ等がその空間から出てしまわないような形状から任意に選択される。その形状としては三角形、矩形、正方形等がありうるが、ＲＧＰレンズ等が傷つきやすいことや前記空間から出てしまうことをより防止することの観点から、所定の曲率を有する円弧が望ましい。
【００１９】
以上述べてきたように、アームを構成する左右の挟持板の略中央部にそれぞれ設けられたスリット窓と、前後の挟持板の長手方向の略中央部に内側に向かってそれぞれ設けられた凸形状部分が協働することによって、凡そ使用されるＲＧＰレンズ等を全て挟持できるレンズホルダーを提供することができるのである。
【００２０】
アームの材質としては、ＲＧＰレンズ等をアームに挟持させるために、アームの開口部を押し広げられるような可撓性を有するポリエステル、ＥＶＡ（エチレン―酢酸ビニル共重合体）、ポリ塩化ビニル、ポリプロプレン、ポリエチレンテレフタレート、ポリスチレン、ＡＢＳ等のプラスチック材料から任意に選択することができる。原料価格や成型のし易さ等の観点からポリエチレンが望ましい。
【００２１】
アームを構成する左右の挟持板や前後の挟持板の肉厚は、可撓性や成型性の観点から０．３ｍｍ〜１．０ｍｍが望ましく、肉厚を含めたアームの開口部の内側の寸法は、直径が小さいＲＧＰレンズ等が前記空間からずり落ちない大きさであり、好ましくは６．７ｍｍ以下である。
【００２２】
本考案の第３の態様は、請求項１又は２に記載のレンズホルダーをキャップに勘合せしめたホルダーキャップ、である。そのキャップはレンズホルダーを筒状の本体に螺合させ、その本体を覆うためのキャップすなわち蓋を有するものである。ＲＧＰレンズ等を挟持するレンズホルダーだけでは、ＲＧＰレンズ等を適切に保存することはできないので、その保護を適切に行うためのものである。キャップの材質は価格や成型性の観点からプラスチック材料が好適に用いられるが、ガラス等の無機材料も使用することができる。
【００２３】
本考案の第４の態様は、請求項３に記載のホルダーキャップを本体に螺合せしめたレンズケース、である。ユーザはそのレンズケースによって使用していないＲＧＰレンズ等を保存することができる。
【考案の効果】
【００２４】
本考案の第１の態様であるアームを構成する挟持板にスリット窓と凸形状部分を備えたレンズホルダーは、大きな直径のＲＧＰレンズ等から小さな直径のＲＧＰレンズ等を挟持することができ、そのレンズホルダーを備えたコンタクトレンズケースによって、凡そ使用されるＲＧＰレンズ等を全て保存することができる。
【図面の簡単な説明】
【００２５】
【図１Ａ】本考案の実施形態に係るコンタクトレンズを挟持したレンズホルダーの正面図である。
【図１Ｂ】コンタクトレンズを挟持していないレンズホルダーの側面図である。
【図１Ｃ】コンタクトレンズを挟持していないレンズホルダーの平面図である。
【図１Ｄ】コンタクトレンズを挟持していないレンズホルダーの斜視図である。
【図２Ａ】直径が大きいＲＧＰレンズをレンズホルダーに挟持した断面図である。
【図２Ｂ】直径が小さいＲＧＰレンズをレンズホルダーに挟持した断面図である。
【図３Ａ】コンタクレンズを挟持していないレンズホルダーをキャップに勘合したホルダーキャップの断面図である。
【図３Ｂ】コンタクレンズを挟持していないレンズホルダーをキャップに勘合したホルダーキャップの斜視図である。
【図４Ａ】ホルダーキャップを螺合したレンズケースの断面図である。
【図４Ｂ】ホルダーキャップを螺合したレンズケースの斜視図である。
【考案を実施するための最良の形態】
【００２６】
以下に図に基づいて本考案を説明する。
【００２７】
図１Ａはコンタクトレンズ１１を挟持したレンズホルダー１０の構成例を正面図で、図１Ｂはコンタクトレンズ１１を挟持していないレンズホルダー１０の構成例を側面図で、図３Ａはコンタクトレンズ１１を挟持していないレンズホルダー１０をキャップ１２に勘合せしめたホルダーキャップ１６の構成例を断面図で、図１Ｄはコンタクレンズ１１を挟持していないレンズホルダー１０の構成例を斜視図で、図４Ａはコンタクトレンズケースの構成例を縦断面図で図示したものである。それらの図によって請求項１に係る考案である、コンタクトレンズを内部に納めて上端にネジ部を有する筒状の本体に螺合するキャップ内側に勘合せしめるプラスチック材料によって一体成形されるレンズホルダーであって、該キャップ内側に勘合する略円形の台座と、台座と反対側に開口部を備えたコンタクトレンズを挟持可能な略凹溝を有する略Ｕ字型のアームと、該アームと前記台座を連結する略円柱状の支柱と、を含み、前記アームは左右の両側部にある左右の挟持板と前後の両側部にある前後の挟持板により構成され、前記左右の挟持板の略中央部にはそれぞれ矩形のスリット窓を有し、前記前後の挟持板がそれぞれ長手方向の略中央部において内側に向かって凸形状部分を備えるレンズホルダー、を分かることができる。
【００２８】
図１Ａにおいて挟持されたコンタクトレンズ１１は、直径が小さいＲＧＰレンズ（直径７．９ｍｍ）であるため、台座１を下側に置いた状態では略凹溝３の下方に位置している。前後の挟持板７、７´の間にある略凹溝３の形状は、挟持板７、７´の形状によって規定され、挟持板７、７´の長手方向の略中央部にある凸形状部分９は所定の曲率を有した円弧になっている。さらに凸形状部分９以外の挟持板７、７´の内側の形状も、コンタクトレンズ１１に傷等をつけないように曲線である。
【００２９】
コンタクトレンズ１１を挟持するため、肉厚を考慮した左右の挟持板６、６´の内側の寸法は、コンタクトレンズ１１の直径より小さく設計されているので、コンタクレンズ１１を略凹溝３に納めるときには、アーム４の開口部２をやや外側に押し広げる必要がある。そのため、レンズホルダー１０は可撓性のあるプラスチック材料であるポリエチレン樹脂によって成型されている。
【００３０】
図２Ａは、直径が大きいＲＧＰレンズであるコンタクトレンズ１１（直径１１．０ｍｍ）をレンズホルダー１０に挟持した場合のＡ−Ａ断面図である。コンタクトレンズ１１の全体は略凹溝３には収まりきらない。しかし、左右の挟持板６、６´は矩形のスリット窓８をそれぞれ備えているため、収まりきらないコンタクトレンズ１１の外周の一部を含む一部分が、スリット窓８を介して略凹溝３から左右の挟持板６、６´の外側にはみ出ることになるのである。その結果、コンタクトレンズ１１はアーム４に固定的に挟持されることになるのである。
【００３１】
図２Ｂは、直径が小さいＲＧＰレンズであるコンタクトレンズ１１（直径７．９ｍｍ）をレンズホルダー１０に挟持した場合のＡ−Ａ断面図である。コンタクトレンズ１１の直径は、肉厚を考慮した左右の挟持板６、６´によって規定されるアーム４の横方向の幅より小さいため、レンズホルダー１０が動く等につれて、コンタクトレンズ１１は略凹溝３の中で比較的自由に動き、コンタクトレンズ１１の外周の一部を含む一部分が、スリット窓８を介して略凹溝３から例えば左の挟持板６の外側にはみ出ても、はみ出た部分の反対側の外周の縁が、右側の挟持板６´に連なる前後の挟持板７、７´に設けられた凸形状部分９の少なくとも一方の内側にあたって、その反対側の外周の縁が略凹溝３内にとどまり、結果としてコンタクトレンズ１１は略凹溝３から外側にはずれることがなく、アーム４に挟持された状態を維持するのである。
【００３２】
すなわちスリット窓８と凸形状部分９が協働することによって、レンズホルダー１０は、直径が大きいコンタクトレンズ（直径１１．０ｍｍ）も直径が小さいコンタクトレンズ（直径７．９ｍｍ）も挟持することができるのである。
【００３３】
図３Ｂは、コンタクトレンズ１１を挟持していないレンズホルダー１０をキャップ１２に勘合せしめたホルダーキャップ１６の斜視図である。図３Ａも参照することによって、台座１の略中心部に設けられた空洞１３にキャップ１２に設けられた突起１４を勘合せしめることによってレンズホルダー１０を備えたホルダーキャップ１６にしうることが分かる。キャップ１２の内側に備えられたネジ部α１５を、本体１９の上側の外側に備えられたネジ部β１７に螺合させることによって、レンズケース２０をつくることができる。なおキャップ１２はポリプロピレン樹脂で、本体２０は透明性を有するポリカーボネート樹脂でそれぞれ成型した。
【００３４】
図４Ａはコンタクレンズ１１を挟持していないレンズホルダー１０を勘合したホルダーキャップ１６を螺合せしめたレンズケース２０の断面図で、図４Ｂはそのレンズケース２０の斜視図である。ユーザはこのレンズケース２０を使用して凡そ使用されるＲＧＰレンズ等全てを保存することができる。
【産業上の利用可能性】
【００３５】
本考案のコンタクレンズホルダーを含むレンズケースは、コンタクトレンズ特にハードコンタクトレンズの保存に供することができる。
【符号の説明】
【００３６】
１    台座
２    開口部
３    略Ｕ字溝
４    アーム
５    支柱
６    左の挟持板
６´  右の挟持板
７    前の挟持板
７´  後の挟持板
８    スリット窓
９    凸形状部分
１０  レンズホルダー
１１  コンタクトレンズ
１６  ホルダーキャップ
１９  本体
２０  レンズケース
【図１Ａ】
0003191196.tif 000003
【図１Ｂ】
0003191196.tif 000004
【図１Ｃ】
0003191196.tif 000005
【図１Ｄ】
0003191196.tif 000006
【図２Ａ】
0003191196.tif 000007
【図２Ｂ】
0003191196.tif 000008
【図３Ａ】
0003191196.tif 000009
【図３Ｂ】
0003191196.tif 000010
【図４Ａ】
0003191196.tif 000011
【図４Ｂ】
0003191196.tif 000012